(57)【要約】【課題】分離可能な端末本体及び分離部材を使用した三者間通話中に端末本体及び分離部材同士を合体したとしても、端末本体及び分離部材間のハウリング発生を抑止する。【解決手段】無線通信網２経由で通話を可能とする電話本体１０と、電話本体１０に対して分離可能とし、電話本体１０とＢＴ通信で通話を可能とする分離部材２０と、電話本体１０から分離部材２０を分離した場合、電話本体１０、分離部材２０並びに無線通信網２間の三者間通話を可能にする第１三者間通話部３８及び第２三者間通話部４４と、三者間通話中に電話本体１０に対して分離部材２０を合体する場合、電話本体１０側の第１マイク１２及び分離部材２０側の第２スピーカ２１間のハウリングを抑制すべく、分配合成部１５及び音声切替部２４を制御する第１制御部１７及び第２制御部２６とを有している。【選択図】図２
2010268407.tif 000002
【特許請求の範囲】
【請求項１】
無線通信網経由で通話を可能とする端末本体と、
この端末本体に対して分離可能とし、前記端末本体と直接無線通信で通話を可能とする所定の分離部材と、
前記端末本体から前記所定の分離部材を分離した場合、前記端末本体、前記分離部材並びに前記無線通信網間の三者間通話を可能にする三者間通話部と、
前記三者間通話中に前記端末本体に対して前記分離部材が近接した場合、前記端末本体及び前記分離部材間のハウリングを制御する制御部と
を有することを特徴とする通話端末装置。
【請求項２】
前記制御部は、
前記端末本体側の第１送話部及び第１受話部と前記分離部材側の第２送話部及び第２受話部との間のハウリングを制御することを特徴とする請求項１記載の通話端末装置。
【請求項３】
前記端末本体の下部に、前記分離部材の上部を分離可能に合体接続し、
前記端末本体の上部に前記第１受話部及び前記端末本体の下部に前記第１送話部を配置すると共に、前記分離部材の上部に前記第２受話部及び前記分離部材の下部に前記第２送話部を配置し、
前記制御部は、
前記三者間通話中に前記端末本体に対して前記分離部材が近接した場合、前記第１受話部及び前記第２送話部をオン作動し、前記第１送話部及び前記第２受話部をオフ作動することで、前記端末本体及び前記分離部材間のハウリングを制御することを特徴とする請求項２記載の通話端末装置。
【請求項４】
前記端末本体の下部に、前記分離部材の上部を分離可能に合体接続し、
前記端末本体の上部に前記第１受話部及び前記端末本体の下部に前記第１送話部を配置すると共に、前記分離部材の上部に前記第２受話部及び前記分離部材の下部に前記第２送話部を配置し、
前記制御部は、
前記三者間通話中に前記端末本体に対して前記分離部材が近接した場合、前記第１受話部及び前記第２送話部をオン作動し、前記第１送話部の収音感度及び前記第２受話部の出力音量を調整することで、前記端末本体及び前記分離部材間のハウリングを制御することを特徴とする請求項２記載の通話端末装置。
【請求項５】
前記端末本体は、
前記第２送話部からの通話音声を前記第１送話部から前記無線通信網への送話音声に合成すると共に、前記無線通信網からの受話音声を前記第１受話部及び前記第２受話部に分配する分配合成部を有することを特徴とする請求項３又は４記載の通話端末装置。
【請求項６】
前記端末本体は、
前記無線通信網経由で無線通信を確立する無線通信部と、
前記分離部材と直接無線通信を確立する第１直接無線通信部と
を有し、
前記分離部材は、
前記端末本体と前記直接無線通信を確立する第２直接無線通信部を有し、
前記三者間通話部は、
前記端末本体側の前記無線通信部を使用して前記無線通信網との無線通信を確立すると共に、前記端末本体側の前記第１直接無線通信部及び前記分離部材側の前記第２直接無線通信部を使用して前記無線通信網との無線通信を確立することで、前記端末本体、前記分離部材並びに前記無線通信網間の三者間通話を確立することを特徴とする請求項１〜５の何れか一に記載の通話端末装置。
【請求項７】
前記第１直接無線通信部は、
前記第２直接無線通信部との直接無線通信の受信レベルが所定レベルに到達した場合、前記端末本体及び前記第２通信端末間の距離が近接したと判断すると共に、前記第２直接無線通信部との直接無線通信の受信レベルが前記所定レベル未満の場合、前記第１通信端末及び前記第２通信端末間の分離と判断する端末状態判定部を有することを特徴とする請求項１〜６の何れか一に記載の通話端末装置。
【請求項８】
無線通信網経由で通話を可能とする端末本体と、この端末本体に対して分離可能とし、前記端末本体と直接無線通信で通話を可能とする所定の分離部材とを有する通話端末装置の三者間通話方法であって、
前記端末本体から前記分離部材を分離した場合、前記端末本体、前記分離部材並びに前記無線通信網間の三者間通話を可能にする三者間通話ステップと、
前記三者間通話中に前記端末本体に対して前記分離部材が近接した場合、前記端末本体及び前記分離部材間のハウリングを制御するハウリング制御ステップと
を含むことを特徴とする三者間通話方法。
【発明の詳細な説明】
【技術分野】
【０００１】
本発明は、例えば、端末本体に対して所定の分離部材を分離可能とする携帯電話機等の通話端末装置及び三者間通話方法に関する。
【背景技術】
【０００２】
従来、三者間通話を実現する方式としては、無線通信網との呼制御を司る親機と、親機経由で無線通信網との通話を可能にする子機とを備え、例えば、親機及び無線通信網間の音声通話中に三者間通話要求を検出すると、これら親機、子機並びに無線通信網側の相手先間の三者間通話を確立する技術が知られている。
【先行技術文献】
【特許文献】
【０００３】
【特許文献１】特開２００４−１７９９８１号公報
【特許文献２】特開平１１−２７５６６３号公報
【発明の概要】
【発明が解決しようとする課題】
【０００４】
しかしながら、上記従来の三者間通話方式を実現する通話端末装置では、親機、子機並びに無線通信網側の相手先間で三者間通話を可能にしたが、例えば、親機と子機とに分離可能な構造とした携帯電話機を想定した場合、親機と子機とに分離して、これら親機、子機並びに無線通信網側の相手先間の三者間通話中に、これら親機及び子機が近接、例えば、合体した場合、親機側の通話部及び子機側の通話部間でハウリングが発生して通話に支障を来たすおそれがある。
【０００５】
開示の技術は、上記に鑑みてなされたものであり、その目的とするところは、例えば、親機等の端末本体及び、この端末本体に対して分離可能な、例えば子機等の分離部材を使用した三者間通話中に、端末本体及び分離部材間が近接した場合でも、端末本体及び分離部材間のハウリング発生を抑止することで円滑な通話を実現する通話端末装置及び三者間通話方法を提供することにある。
【課題を解決するための手段】
【０００６】
本願の開示する通話端末装置は、一つの態様において、無線通信網経由で通話を可能とする端末本体と、この端末本体に対して分離可能とし、前記端末本体と直接無線通信で通話を可能とする所定の分離部材と、前記端末本体から前記分離部材を分離した場合、前記端末本体、前記分離部材並びに前記無線通信網間の三者間通話を可能にする三者間通話部と、前記三者間通話中に前記端末本体に対して前記分離部材が近接した場合、前記端末本体及び前記分離部材間のハウリングを制御する制御部とを有する。
【０００７】
また、本願の開示する三者間通話方法は、一つの態様において、無線通信網経由で通話を可能とする端末本体と、この端末本体に対して分離可能とし、前記端末本体と直接無線通信で通話を可能とする所定の分離部材とを有する通話端末装置の三者間通話方法であって、前記端末本体から前記分離部材を分離した場合、前記端末本体、前記分離部材並びに前記無線通信網間の三者間通話を可能にする三者間通話ステップと、前記三者間通話中に前記端末本体に対して前記分離部材が近接した場合、前記端末本体及び前記分離部材間のハウリングを制御するハウリング制御ステップとを含む。
【発明の効果】
【０００８】
本願の開示する通話端末装置の一つの態様によれば、端末本体及び、この端末本体に対して分離可能な分離部材を使用した三者間通話中に、端末本体に対して分離部材が近接、例えば、合体した場合でも、端末本体及び分離部材間のハウリング発生を抑止することで円滑な通話を実現するという効果を奏する。
【０００９】
本願の開示する三者間通話方法の一つの態様によれば、端末本体及び、この端末本体に対して分離可能な分離部材を使用した三者間通話中に、端末本体に対して分離部材が近接、例えば、合体した場合でも、端末本体及び分離部材間のハウリング発生を抑止することで円滑な通話を実現するという効果を奏する。
【図面の簡単な説明】
【００１０】
【図１】図１は、本実施例の合体時及び分離時の携帯電話機の概略構成を示す説明図である。
【図２】図２は、携帯電話機内部の概略構成を示すブロック図である。
【図３】図３は、電話本体の要部である第１制御部内部の概略構成を示すブロック図である。
【図４】図４は、分離部材の要部である第２制御部内部の概略構成を示すブロック図である。
【図５】図５は、電話本体の分配合成部内部の概略構成を示す説明図である。
【図６】図６は、分離部材の音声切替部内部の概略構成を示す説明図である。
【図７】図７は、通話音声切替処理に関わる電話本体、分離部材及び無線通信網の処理動作を示す動作シーケンスである。
【図８】図８は、コンパクト収納待機状態での着信時に関わる電話本体及び分離部材内部の動作を端的に示す説明図である。
【図９】図９は、通話音声切替処理に関わる電話本体、分離部材及び無線通信網の処理動作を示す動作シーケンスである。
【図１０】図１０は、通常通話待機状態での着信時に関わる電話本体及び分離部材内部の動作を端的に示す説明図である。
【図１１】図１１は、通話音声切替処理に関わる電話本体、分離部材及び無線通信網の処理動作を示す動作シーケンスである。
【図１２】図１２は、分離状態での着信時に関わる電話本体及び分離部材内部の動作を端的に示す説明図である。
【図１３】図１３は、通常通話から三者間通話に移行する際の電話本体、分離部材及び無線通信網の処理動作を示す動作シーケンスである。
【図１４】図１４は、通常通話から三者間通話に移行する際の電話本体及び分離部材内部の動作を端的に示す説明図である。
【図１５】図１５は、三者間通話から通常通話に移行する際の電話本体、分離部材及び無線通信網の処理動作を示す動作シーケンスである。
【図１６】図１６は、三者間通話から通常通話に移行する際の電話本体及び分離部材内部の動作を端的に示す説明図である。
【発明を実施するための形態】
【００１１】
以下、図面に基づき本願の開示する通話端末装置及び三者間通話方法の実施例について詳細に説明する。
【００１２】
まず、最初に本実施例の概要を説明するとすれば、その概要は、無線通信網経由で通話を可能とする電話本体と、この電話本体に対して分離可能とし、電話本体とブルートゥース(Ｂｌｕｅｔｏｏｔｈ：以下、ＢＴと称する)通信で通話を可能とする分離部材とを備えた携帯電話機である。
【００１３】
更に、その携帯電話機は、電話本体から分離部材を分離した場合、電話本体、分離部材並びに無線通信網間の三者間通話を可能にする三者間通話部と、三者間通話中に電話本体に対して分離部材が近接、例えば、合体した場合、電話本体及び分離部材間のハウリングを抑止制御する制御部とを有している。
【００１４】
その結果、本実施例では、電話本体及び、この電話本体に対して分離可能な分離部材を使用した三者間通話中に、電話本体に対して分離部材が近接、例えば、合体した場合でも、電話本体及び分離部材間のハウリング発生を抑止できる。
【実施例】
【００１５】
図１は、本実施例の合体時及び分離時の携帯電話機の概略構成を示す説明図である。
【００１６】
図１に示す携帯電話機１は、無線通信網経由で相手先との通話を可能とする電話本体１０と、この電話本体１０に対して分離可能とし、電話本体１０とＢＴ通信で通話可能とする分離部材２０とを有している。
【００１７】
電話本体１０は、分離部材２０と合体接続した場合、電話本体１０の下端部に対して分離部材２０の上端部を回動可能にし、この電話本体１０の下端部に対して分離部材２０を着脱可能に分離できるものである。
【００１８】
電話本体１０は、その上端部に受話音声を音響出力する第１スピーカ１１と、その下端部に送話音声を収音する第１マイク１２とを有している。また、分離部材２０は、その上端部に受話音声を音響出力する第２スピーカ２１と、その下端部に送話音声を収音する第２マイク２２とを有している。
【００１９】
電話本体１０及び分離部材２０の合体時の携帯電話機１では、例えば、電話本体１０の面と分離部材２０の面と重ね合わせて折畳んだコンパクト収納待機状態と、電話本体１０の面と分離部材２０の面とを開いた状態の通常通話待機状態との２種類がある。
【００２０】
図２は、携帯電話機１内部の概略構成を示すブロック図である。
【００２１】
図２に示す携帯電話機１内部の電話本体１０は、第１スピーカ１１及び第１マイク１２の他、無線通信網２内の基地局との通信インタフェースを司る無線通信部１３と、ＢＴ通信の通信インタフェースを司る第１ＢＴ通信部１４と、通話音声を分配又は合成する分配合成部１５と、各種情報を記憶する第１メモリ１６と、電話本体１０全体を制御する第１制御部１７とを有している。
【００２２】
携帯電話機１内部の分離部材２０は、第２スピーカ２１及び第２マイク２２の他、電話本体１０側のＢＴ通信の通信インタフェースを司る第２ＢＴ通信部２３と、通話音声を切り替える音声切替部２４と、各種情報を記憶する第２メモリ２５と、分離部材２０全体を制御する第２制御部２６とを有している。
【００２３】
電話本体１０及び分離部材２０間を分離した状態での、電話本体１０及び分離部材２０間の無線通信は、通話音声や制御信号等を第１ＢＴ通信部１４及び第２ＢＴ通信部２３間のＢＴ通信で実現するものである。尚、第１スピーカ１１及び第１マイク１２を使用して電話本体１０の音声通話を実現すると共に、第２スピーカ２１及び第２マイク２２を使用して分離部材２０の音声通話を実現するものである。
【００２４】
電話本体１０及び分離部材２０間を合体した状態での無線通信網２との無線通信は、無線通信部１３を通じて無線通信網２との音声通話を実現するものである。尚、コンパクト収納待機状態の携帯電話機１では、第１スピーカ１１及び第１マイク１２を使用して無線通信網２との音声通話を実現するものである。
【００２５】
また、通常通話待機状態の携帯電話機１では、第１スピーカ１１及び第２マイク２２を使用して無線通信網２との音声通話を実現するものである。
【００２６】
更に、電話本体１０は、無線通信網２との通話中に、分離部材２０の分離を検出すると、ＢＴ通信で分離部材２０との音声通話を確立し、無線通信網２、電話本体１０及び分離部材２０間の三者間通話を確立するものである。
【００２７】
更に、電話本体１０、分離部材２０及び無線通信網２間の三者間通話中に、分離部材２０を電話本体１０に合体接続した場合、電話本体１０及び無線通信網２間の音声通話を実現するものである。尚、第１スピーカ１１及び第２マイク２２を使用して無線通信網２との音声通話を実現するものである。
【００２８】
図３は、第１制御部１７内部の概略構成を示すブロック図である。
【００２９】
図３に示す第１制御部１７は、第１スピーカ１１を制御する第１スピーカ制御部３１と、第１マイク１２を制御する第１マイク制御部３２と、無線通信部１３を制御する無線制御部３３と、第１ＢＴ通信部１４を制御する第１ＢＴ通信制御部３４と、第１ＢＴ通信部１４及び第２ＢＴ通信部２３間のＢＴ通信の受信レベルを検出するＢＴ受信レベル検出部３５と、ＢＴ受信レベル検出部３５の受信レベルに基づき、電話本体１０及び分離部材２０間が合体状態であるか否かを判定する合体判定部３６とを有している。
【００３０】
更に、第１制御部１７は、無線通信網２との通話の呼制御を司る呼制御部３７と、三者間通話を確立する第１三者間通話部３８と、分配合成部１５を制御する分配合成制御部３９とを有している。
【００３１】
合体判定部３６は、ＢＴ受信レベル検出部３５の受信レベルに基づき、電話本体１０側の第１ＢＴ通信部１４及び分離部材２０側の第２ＢＴ通信部２３間のＢＴ通信の受信レベルが基準閾値、すなわち合体レベル以上の場合、電話本体１０及び分離部材２０間が合体状態と判断するものである。
【００３２】
更に、合体判定部３６は、ＢＴ通信の受信レベルが基準閾値、すなわち合体レベル未満の場合、電話本体１０及び分離部材２０間が分離状態と判断するものである。
【００３３】
呼制御部３７は、無線通信部１３を通じて無線通信網２との通信プロトコルを制御するものである。
【００３４】
第１三者間通話部３８は、電話本体１０及び無線通信網２間の音声通話中に三者間通話要求を検出すると、第１ＢＴ通信制御部３４及び分配合成制御部３９を通じて、電話本体１０、分離部材２０並びに無線通信網２側の相手先間の三者間通話を確立するものである。
【００３５】
図４は、第２制御部２６内部の概略構成を示すブロック図である。
【００３６】
図４に示す第２制御部２６は、第２スピーカ２１を制御する第２スピーカ制御部４１と、第２マイク２２を制御する第２マイク制御部４２と、第２ＢＴ通信部２３を制御する第２ＢＴ通信制御部４３と、電話本体１０側の第１三者間通話部３８と連動して三者間通話を確立する第２三者間通話部４４と、音声切替部２４を制御する音声切替制御部４５とを有している。
【００３７】
第２三者間通話部４４は、第２ＢＴ通信部２３を通じて電話本体１０、分離部材２０並びに無線通信網２側の相手先間の三者間通話を確立するものである。
【００３８】
図５は、分配合成部１５内部の概略構成を示すブロック図である。
【００３９】
図５に示す分配合成部１５は、無線通信部１３を通じて無線通信網２から携帯電話機１への下り音声、すなわち受話音声を電話本体１０及び／又は分離部材２０に分配する分配部５１と、電話本体１０及び／又は分離部材２０から無線通信網２への上り音声、すなわち送話音声を合成する合成部５２と、分配部５１及び第１スピーカ１１間の接続をＯＮ／ＯＦＦする第１切替スイッチ（以下、単にＳＷと称する）５３Ａと、分配部５１及び第１ＢＴ通信部１４間の接続をＯＮ／ＯＦＦする第２切替ＳＷ５３Ｂとを有している。
【００４０】
更に、分配合成部１５は、第１ＢＴ通信部１４及び合成部５２間の接続をＯＮ／ＯＦＦする第３切替ＳＷ５３Ｃと、第１マイク１２及び合成部５２間の接続をＯＮ／ＯＦＦする第４切替ＳＷ５３Ｄとを有している。
【００４１】
尚、分配合成制御部３９は、第１切替ＳＷ５３Ａ、第２切替ＳＷ５３Ｂ、第３切替ＳＷ５３Ｃ及び第４切替ＳＷ５３ＤをＯＮ／ＯＦＦ制御する音声切替信号を出力するものである。
【００４２】
図６は、音声切替部２４内部の概略構成を示すブロック図である。
【００４３】
図６に示す音声切替部２４は、第２ＢＴ通信部２３及び第２スピーカ２１間の接続をＯＮ／ＯＦＦする第５切替ＳＷ６１Ａと、第２ＢＴ通信部２３及び第２マイク２２間の接続をＯＮ／ＯＦＦする第６切替ＳＷ６１Ｂとを有している。
【００４４】
尚、音声切替制御部４５は、第５切替ＳＷ６１Ａ及び第６切替ＳＷ６１ＢをＯＮ／ＯＦＦ制御する音声切替信号を出力するものである。
【００４５】
第１制御部１７は、電話本体１０、分離部材２０並びに無線通信網２側の相手先間の三者間通話中に、合体判定部３６にて電話本体１０及び分離部材２０間の合体状態を検出すると、分配合成制御部３９及び音声切替制御部４５を通じて、分配部５１及び第１スピーカ１１間の第１切替ＳＷ５３ＡをＯＮ、分配部５１及び第１ＢＴ通信部１４間の第２切替ＳＷ５３ＢをＯＦＦ、合成部５２及び第１ＢＴ通信部１４間の第３切替ＳＷ５３ＣをＯＮ、合成部５２及び第１マイク１２間の第４切替ＳＷ５３ＤをＯＦＦ、第２ＢＴ通信部２３及び第２スピーカ２１間の第５切替ＳＷ６１ＡをＯＦＦ、第２ＢＴ通信部２３及び第２マイク２２間の第６切替ＳＷ６１ＢをＯＮするものである。
【００４６】
その結果、第１制御部１７は、第１スピーカ１１及び第２マイク２２をＯＮしたまま、第１マイク１２及び第２スピーカ２１をＯＦＦすることで、三者間通話中に、分離部材２０を合体したとしても、電話本体１０側の第１マイク１２及び分離部材２０側の第２スピーカ２１間のハウリングを抑制しながら、電話本体１０及び無線通信網２側の相手先間の通話を実現するものである。
【００４７】
次に、本実施例の携帯電話機１の動作について説明する。図７は、通話音声切替処理に関わる電話本体１０、分離部材２０及び無線通信網２の処理動作を示す動作シーケンス、図８は、コンパクト収納待機状態での着信時に関わる電話本体１０及び分離部材２０内部の通話音声切替処理に関わる動作を端的に示す説明図である。
【００４８】
図７に示す電話本体１０内の呼制御部３７は、無線通信部１３を通じて無線通信網２からの呼設定メッセージ（ＳＥＴＵＰ）を受信したか否かを判定する(ステップＳ１１)。
【００４９】
電話本体１０内の呼制御部３７は、呼設定メッセージを受信した場合(ステップＳ１１肯定)、呼設定受付メッセージ（ＣＡＬＬＰＲＯＣ）を無線通信網２に送信する(ステップＳ１２)。  
【００５０】
電話本体１０内の呼制御部３７は、呼設定受付メッセージを送信した後、呼出中メッセージ（ＡＬＥＲＴ）を無線通信網２に送信すると共に(ステップＳ１３)、第１ＢＴ通信部１４及び第２ＢＴ通信部２３経由で、分離部材２０側に呼出音を鳴動出力する(ステップＳ１４)。
【００５１】
電話本体１０内の呼制御部３７は、着信呼に対する応答操作を検出したか否かを判定する(ステップＳ１５)。電話本体１０内の呼制御部３７は、着信呼に対する応答操作を検出した場合(ステップＳ１５肯定)、無線通信網２に対して応答メッセージ（ＣＯＮＮ）を送信する(ステップＳ１６)。尚、分離部材２０は、呼出音の鳴動出力中では、着信呼に対する応答操作を検出したか否かを判定する(ステップＳ１７)。分離部材２０は、着信呼に対する応答操作を検出した場合(ステップＳ１７肯定)、第１ＢＴ通信部１４及び第２ＢＴ通信部２３経由でステップＳ１６の応答メッセージの送信を指示すべく、電話本体１０に応答指示を送信するものである(ステップＳ１８)。
【００５２】
電話本体１０内の第１制御部１７は、携帯電話機１がコンパクト収納待機状態であるか否かを判定する(ステップＳ１９)。
【００５３】
電話本体１０内の分配合成制御部３９は、携帯電話機１がコンパクト収納待機状態の場合(ステップＳ１９肯定)、分配部５１及び第１スピーカ１１間を接続ＯＮすべく、第１切替ＳＷ５３ＡをＯＮ作動すると共に(ステップＳ２０)、合成部５２及び第１マイク１２間を接続ＯＮすべく、第４切替ＳＷ５３ＤをＯＮ作動する(ステップＳ２１)。
【００５４】
更に、電話本体１０内の第１制御部１７は、第１ＢＴ通信部１４及び第２ＢＴ通信部２３経由で第２スピーカＯＦＦ通知を分離部材２０内の第２制御部２６に通知すると共に(ステップＳ２２)、第１ＢＴ通信部１４及び第２ＢＴ通信部２３経由で第２マイクＯＦＦ通知を第２制御部２６に通知する(ステップＳ２３)。
【００５５】
更に、電話本体１０内の分配合成制御部３９は、合成部５２及び第１ＢＴ通信部１４間を接続ＯＦＦすべく、第３切替ＳＷ５３ＣをＯＦＦ作動すると共に(ステップＳ２４)、分配部５１及び第１ＢＴ通信部１４間を接続ＯＦＦすべく、第２切替ＳＷ５３ＢをＯＦＦ作動する(ステップＳ２５)。
【００５６】
また、分離部材２０内の音声切替制御部４５は、ステップＳ２２の第２スピーカＯＦＦ通知を検出すると、第２ＢＴ通信部２３及び第２スピーカ２１間を接続ＯＦＦすべく、第５切替ＳＷ６１ＡをＯＦＦ作動すると共に(ステップＳ２６)、ステップＳ２３の第２マイクＯＦＦ通知を検出すると、第２ＢＴ通信部２３及び第２マイク２２間を接続ＯＦＦすべく、第６切替ＳＷ６１ＢをＯＦＦ作動する(ステップＳ２７)。
【００５７】
その結果、コンパクト収納待機状態の携帯電話機１では、無線通信網２からの着信に応答すると、図８に示すように、電話本体１０内の分配部５１及び第１スピーカ１１間を接続ＯＮ、合成部５２及び第１マイク１２間を接続ＯＮ、合成部５２及び第１ＢＴ通信部１４間を接続ＯＦＦ、分配部５１及び第１ＢＴ通信部１４間を接続ＯＦＦ、すなわち第１スピーカ１１及び第１マイク１２をＯＮ作動、更に、第２ＢＴ通信部２３及び第２スピーカ２１間を接続ＯＦＦ、第２ＢＴ通信部２３及び第２マイク２２間を接続ＯＦＦ、すなわち第２スピーカ２１及び第２マイク２２をＯＦＦ作動することで、電話本体１０及び無線通信網２側の相手先間の通話を確立することになる(ステップＳ２８)。
【００５８】
また、電話本体１０内の呼制御部３７は、呼設定メッセージを受信しなかった場合(ステップＳ１１否定)、呼設定メッセージの受信を監視すべく、ステップＳ１１に移行する。
【００５９】
また、電話本体１０内の呼制御部３７は、応答操作を検出しなかった場合(ステップＳ１５否定)、応答操作を監視すべく、ステップＳ１５に移行する。
【００６０】
また、分離部材２０内の第２制御部２６は、応答操作を検出しなかった場合(ステップＳ１７否定)、応答操作を監視すべく、ステップＳ１７に移行する。
【００６１】
また、電話本体１０内の第１制御部１７は、携帯電話機１がコンパクト収納待機状態でない場合(ステップＳ１９否定)、図９に示すＭ１に移行する。
【００６２】
図７に示す通話音声切替処理では、携帯電話機１がコンパクト収納待機状態で、無線通信網２からの着信に応答すると、電話本体１０側の第１スピーカ１１及び第１マイク１２をＯＮ作動、分離部材２０側の第２スピーカ２１及び第２マイク２２をＯＦＦ作動することで、電話本体１０及び無線通信網２側の相手先間の通話を確立できる。
【００６３】
図９は、通話音声切替処理に関わる電話本体１０、分離部材２０及び無線通信網２の処理動作を示す動作シーケンスである。
【００６４】
図９に示すＭ１において電話本体１０内の合体判定部３６は、ＢＴ受信レベル検出部３５の受信レベルが合体レベル以上であるか否かを判定する(ステップＳ３１)。
【００６５】
電話本体１０内の第１制御部１７は、受信レベルが合体レベル以上の場合(ステップＳ３１肯定)、すなわち電話本体１０及び分離部材２０間が合体状態のため、通常通話待機状態と判断するものである。
【００６６】
電話本体１０内の分配合成制御部３９は、携帯電話機１が通常通話待機状態と判断すると、分配部５１及び第１スピーカ１１間を接続ＯＮすべく、第１切替ＳＷ５３ＡをＯＮ作動すると共に(ステップＳ３２)、合成部５２及び第１マイク１２間を接続ＯＦＦすべく、第４切替ＳＷ５３ＤをＯＦＦ作動する(ステップＳ３３)。
【００６７】
更に、電話本体１０内の第１制御部１７は、第１ＢＴ通信部１４及び第２ＢＴ通信部２３経由で第２スピーカＯＦＦ通知を分離部材２０内の第２制御部２６に通知すると共に(ステップＳ３４)、第１ＢＴ通信部１４及び第２ＢＴ通信部２３経由で第２マイクＯＮ通知を第２制御部２６に通知する(ステップＳ３５)。
【００６８】
更に、電話本体１０内の分配合成制御部３９は、合成部５２及び第１ＢＴ通信部１４間を接続ＯＮすべく、第３切替ＳＷ５３ＣをＯＮ作動すると共に(ステップＳ３６)、分配部５１及び第１ＢＴ通信部１４間を接続ＯＦＦすべく、第２切替ＳＷ５３ＢをＯＦＦ作動する(ステップＳ３７)。
【００６９】
また、分離部材２０内の音声切替制御部４５は、ステップＳ３４の第２スピーカＯＦＦ通知を検出すると、第２ＢＴ通信部２３及び第２スピーカ２１間を接続ＯＦＦすべく、第５切替ＳＷ６１ＡをＯＦＦ作動すると共に(ステップＳ３８)、ステップＳ３５の第２マイクＯＮ通知を検出すると、第２ＢＴ通信部２３及び第２マイク２２間を接続ＯＮすべく、第６切替ＳＷ６１ＢをＯＮ作動する(ステップＳ３９)。
【００７０】
その結果、携帯電話機１の通常通話待機状態では、無線通信網２からの着信に応答すると、図１０に示すように、分配部５１及び第１スピーカ１１間を接続ＯＮ、合成部５２及び第１マイク１２間を接続ＯＦＦ、合成部５２及び第１ＢＴ通信部１４間を接続ＯＮ、分配部５１及び第１ＢＴ通信部１４間を接続ＯＦＦ、すなわち第１スピーカ１１をＯＮ作動及び第１マイク１２をＯＦＦ作動、更に、第２ＢＴ通信部２３及び第２スピーカ２１間を接続ＯＦＦ、第２ＢＴ通信部２３及び第２マイク２２間を接続ＯＮ、すなわち第２スピーカ２１をＯＦＦ作動、第２マイク２２をＯＮ作動することで、電話本体１０及び無線通信網２側の相手先間の通話を確立することになる(ステップＳ４０)。
【００７１】
また、電話本体１０内の合体判定部３６は、ＢＴ受信レベル検出部３５の受信レベルが合体レベル以上でない場合(ステップＳ３１否定)、電話本体１０及び分離部材２０間が分離状態であると判断し、図１１に示すＭ２に移行する。
【００７２】
図１１に示す通話音声切替処理では、携帯電話機１が通常通話待機状態で、無線通信網２からの着信に応答した場合、電話本体１０側の第１スピーカ１１をＯＮ作動及び第１マイク１２をＯＦＦ作動、分離部材２０側の第２スピーカ２１をＯＦＦ作動、第２マイク２２をＯＮ作動することで、電話本体１０及び無線通信網２側の相手先間の通話を確立できる。
【００７３】
図１１は、通話音声切替処理に関わる電話本体１０、分離部材２０及び無線通信網２の処理動作を示す動作シーケンスである。
【００７４】
図１１に示すＭ２において電話本体１０内の分配合成制御部３９は、電話本体１０及び分離部材２０間が分離状態と判断すると、分配部５１及び第１スピーカ１１間を接続ＯＮすべく、第１切替ＳＷ５３ＡをＯＮ作動すると共に(ステップＳ５１)、合成部５２及び第１マイク１２間を接続ＯＮすべく、第４切替ＳＷ５３ＤをＯＮ作動する(ステップＳ５２)。
【００７５】
更に、電話本体１０内の第１制御部１７は、第１ＢＴ通信部１４及び第２ＢＴ通信部２３経由で第２スピーカＯＮ通知を分離部材２０内の第２制御部２６に通知すると共に(ステップＳ５３)、第１ＢＴ通信部１４及び第２ＢＴ通信部２３経由で第２マイクＯＮ通知を第２制御部２６に通知する(ステップＳ５４)。
【００７６】
更に、電話本体１０内の分配合成制御部３９は、合成部５２及び第１ＢＴ通信部１４間を接続ＯＮすべく、第３切替ＳＷ５３ＣをＯＮ作動すると共に(ステップＳ５５)、分配部５１及び第１ＢＴ通信部１４間を接続ＯＮすべく、第２切替ＳＷ５３ＢをＯＮ作動する(ステップＳ５６)。
【００７７】
また、分離部材２０内の音声切替制御部４５は、ステップＳ５３の第２スピーカＯ通知を検出すると、第２ＢＴ通信部２３及び第２スピーカ２１間を接続ＯＮすべく、第５切替ＳＷ６１ＡをＯＮ作動すると共に(ステップＳ５７)、ステップＳ５４の第２マイクＯＮ通知を検出すると、第２ＢＴ通信部２３及び第２マイク２２間を接続ＯＮすべく、第６切替ＳＷ６１ＢをＯＮ作動する(ステップＳ５８)。
【００７８】
その結果、携帯電話機１の分離状態では、図１２に示すように、電話本体１０内の分配部５１及び第１スピーカ１１間を接続ＯＮ、合成部５２及び第１マイク１２間を接続ＯＮ、合成部５２及び第１ＢＴ通信部１４間を接続ＯＮ、分配部５１及び第１ＢＴ通信部１４間を接続ＯＮ、すなわち第１スピーカ１１及び第１マイク１２をＯＮ作動、更に、第２ＢＴ通信部２３及び第２スピーカ２１間を接続ＯＮ、第２ＢＴ通信部２３及び第２マイク２２間を接続ＯＮ、すなわち第２スピーカ２１及び第２マイク２２をＯＮ作動することで、電話本体１０、分離部材２０並びに無線通信網２側の相手先間の三者間通話を確立することになる(ステップＳ５９)。
【００７９】
図１１に示す通話音声切替処理では、携帯電話機１の分離状態で、無線通信網２からの着信に応答した場合、電話本体１０側の第１スピーカ１１及び第１マイク１２をＯＮ作動、更に、分離部材２０側の第２スピーカ２１及び第２マイク２２をＯＮ作動することで、電話本体１０、分離部材２０並びに無線通信網２側の相手先間の三者間通話を確立できる。
【００８０】
次に、携帯電話機１及び無線通信網２側の相手先間の通話中に分離部材２０を分離した場合の動作について説明する。図１３は、通常通話から三者間通話に移行する際の電話本体１０、分離部材２０及び無線通信網２の処理動作を示す動作シーケンスである。
【００８１】
図１３において電話本体１０内の分離判定部３６は、無線通信網２側の相手先との通話中に(ステップＳ６１)、ＢＴ受信レベル検出部３５の受信レベルが合体レベル以上であるか否かを判定する(ステップＳ６２)。
【００８２】
尚、通常通話待機状態の携帯電話機１及び無線通信網２側の相手先間の通話中では、図１０に示すように、分配部５１及び第１スピーカ１１間を接続ＯＮ、合成部５２及び第１マイク１２間を接続ＯＦＦ、分配部５１及び第１ＢＴ通信部１４間を接続ＯＦＦ、合成部５２及び第１ＢＴ通信部１４間を接続ＯＮ、第２スピーカ２１及び第２ＢＴ通信部２３間を接続ＯＦＦ、第２マイク２２及び第２ＢＴ通信部２３間を接続ＯＮ、すなわち第１スピーカ１１及び第２マイク２２をＯＮ作動、第１マイク１２及び第２スピーカ２１をＯＦＦ作動している状態とする。
【００８３】
電話本体１０内の分配合成制御部３９は、受信レベルが合体レベル以上でない場合（ステップＳ６２否定）、すなわち電話本体１０及び分離部材２０間が分離状態と判断し、合成部５２及び第１マイク１２間を接続ＯＮすべく、第４切替ＳＷ５３ＤをＯＮ作動する(ステップＳ６３)。
【００８４】
更に、電話本体１０内の第１制御部１７は、第１ＢＴ通信部１４及び第２ＢＴ通信部２３経由で第２スピーカＯＮ通知を分離部材２０内の第２制御部２６に通知する(ステップＳ６４)。
【００８５】
更に、電話本体１０内の分配合成制御部３９は、合成部５２及び第１ＢＴ通信部１４間を接続ＯＮすべく、第３切替ＳＷ５３ＣをＯＮ作動する(ステップＳ６５)。
【００８６】
また、分離部材２０内の音声切替制御部４５は、ステップＳ６４の第２スピーカＯＮ通知を検出すると、第２ＢＴ通信部２３及び第２スピーカ２１間を接続すべく、第５切替ＳＷ６１ＡをＯＮ作動する(ステップＳ６６)。
【００８７】
その結果、携帯電話機１では、図１４に示すように、電話本体１０内の分配部５１及び第１スピーカ１１間を接続ＯＮ、合成部５２及び第１マイク１２間を接続ＯＮ、合成部５２及び第１ＢＴ通信部１４間を接続ＯＮ、分配部５１及び第１ＢＴ通信部１４間を接続ＯＮ、すなわち第１スピーカ１１及び第１マイク１２をＯＮ作動、更に、第２ＢＴ通信部２３及び第２スピーカ２１間を接続ＯＮ、第２ＢＴ通信部２３及び第２マイク２２間を接続ＯＮ、すなわち第２スピーカ２１及び第２マイク２２をＯＮ作動することで、電話本体１０、分離部材２０並びに無線通信網２側の相手先間の三者間通話を確立することになる(ステップＳ６７)。
【００８８】
また、電話本体１０内の合体判定部３６は、ＢＴ受信レベル検出部３５の受信レベルが合体レベル以上の場合(ステップＳ６２肯定)、すなわち電話本体１０及び分離部材２０間が合体状態と判断し、受信レベルが合体レベル以上であるか否かを監視すべく、ステップＳ６２に移行する。
【００８９】
図１３に示す処理では、電話本体１０及び無線通信網２側の相手先間の通話中に電話本体１０から分離部材２０を分離した場合、電話本体１０側の第１スピーカ１１及び第１マイク１２をＯＮ作動、更に、分離部材２０側の第２スピーカ２１及び第２マイク２２をＯＮ作動することで、電話本体１０、分離部材２０並びに無線通信網２側の相手先間の三者間通話を確立できる。
【００９０】
次に、電話本体１０、分離部材２０及び無線通信網２側の相手先間の三者間通話中に電話本体１０に対して分離部材２０を合体した場合の動作について説明する。図１５は、三者間通話から通常通話に移行する際の電話本体１０、分離部材２０及び無線通信網２の処理動作を示す動作シーケンスである。
【００９１】
図１５において電話本体１０内の合体判定部３６は、分離部材２０及び無線通信網２側の相手先との三者間通話中に(ステップＳ７１)、ＢＴ受信レベル検出部３５の受信レベルが合体レベル以上であるか否かを判定する(ステップＳ７２)。
【００９２】
尚、電話本体１０、分離部材２０及び無線通信網２側の相手先間の三者間通話中では、図１４に示すように、分配部５１及び第１スピーカ１１間を接続ＯＮ、合成部５２及び第１マイク１２間を接続ＯＮ、分配部５１及び第１ＢＴ通信部１４間を接続ＯＮ、合成部５２及び第１ＢＴ通信部１４間を接続ＯＮ、第２スピーカ２１及び第２ＢＴ通信部２３間を接続ＯＮ、第２マイク２２及び第２ＢＴ通信部２３間を接続ＯＮ、すなわち第１スピーカ１１、第１マイク１２、第２スピーカ２１及び第２マイク２２をＯＮ作動している状態とする。
【００９３】
電話本体１０内の分配合成制御部３９は、受信レベルが合体レベル以上の場合（ステップＳ７２肯定）、すなわち電話本体１０及び分離部材２０間が合体状態と判断し、合成部５２及び第１マイク１２間を接続ＯＦＦすべく、第４切替ＳＷ５３ＤをＯＦＦ作動する(ステップＳ７３)。
【００９４】
更に、電話本体１０内の第１制御部１７は、第１ＢＴ通信部１４及び第２ＢＴ通信部２３経由で第２スピーカＯＦＦ通知を分離部材２０内の第２制御部２６に通知する(ステップＳ７４)。
【００９５】
更に、電話本体１０内の分配合成制御部３９は、合成部５２及び第１ＢＴ通信部１４間を接続ＯＮすべく、第３切替ＳＷ５３ＣをＯＮ作動すると共に(ステップＳ７５)、分配部５１及び第１ＢＴ通信部１４間を接続ＯＦＦすべく、第２切替ＳＷ５３ＢをＯＦＦ作動する(ステップＳ７６)。
【００９６】
また、分離部材２０内の音声切替制御部４５は、ステップＳ７４の第２スピーカＯＦＦ通知を検出すると、第２ＢＴ通信部２３及び第２スピーカ２１間を接続ＯＦＦすべく、第５切替ＳＷ６１ＡをＯＦＦ作動する(ステップＳ７７)。
【００９７】
その結果、携帯電話機１では、図１６に示すように、電話本体１０内の分配部５１及び第１スピーカ１１間を接続ＯＮ、合成部５２及び第１マイク１２間を接続ＯＦＦ、合成部５２及び第１ＢＴ通信部１４間を接続ＯＮ、分配部５１及び第１ＢＴ通信部１４間を接続ＯＦＦ、すなわち第１スピーカ１１をＯＮ作動、第１マイク１２をＯＦＦ作動、更に、第２ＢＴ通信部２３及び第２スピーカ２１間を接続ＯＦＦ、第２ＢＴ通信部２３及び第２マイク２２間を接続ＯＮ、すなわち第２スピーカ２１をＯＦＦ作動、第２マイク２２をＯＮ作動することで、電話本体１０及び無線通信網２側の相手先間の通話に移行することになる(ステップＳ７８)。
【００９８】
また、電話本体１０内の合体判定部３６は、ＢＴ受信レベル検出部３５の受信レベルが合体レベル以上でない場合(ステップＳ７２否定)、すなわち、電話本体１０及び分離部材２０間が分離状態であると判断し、受信レベルが合体レベル以上であるか否かを監視すべく、ステップＳ７２に移行する。
【００９９】
図１５に示す処理では、電話本体１０、分離部材２０及び無線通信網２側の相手先間の三者間通話中に、電話本体１０に対して分離部材２０を合体接続した場合、電話本体１０側の第１スピーカ１１及び分離部材２０側の第２マイク２２をＯＮ作動したまま、電話本体１０側の第１マイク１２及び分離部材２０側の第２スピーカ２１がＯＦＦ作動することで、第１マイク１２及び第２スピーカ２１間のハウリングを抑制しながら、電話本体１０及び無線通信網２側の相手先間の通話を確立できる。
【０１００】
本実施例では、電話本体１０、分離部材２０並びに無線通信網２側の相手先間の三者間通話中に、電話本体１０に対して分離部材２０を合体接続した場合、電話本体１０側の第１スピーカ１１及び分離部材２０側の第２マイク２２をＯＮ作動したまま、電話本体１０側の第１マイク１２及び分離部材２０側の第２スピーカ２１がＯＦＦ作動することで、第１マイク１２及び第２スピーカ２１間のハウリングを抑制しながら、電話本体１０及び無線通信網２側の相手先間の通話を確立できる。
【０１０１】
尚、上記実施例では、第１切替ＳＷ５３Ａ、第２切替ＳＷ５３Ｂ、第３切替ＳＷ５３Ｃ、第４切替ＳＷ５３Ｄ、第５切替ＳＷ６１Ａ及び第６切替ＳＷ６１ＢをＯＮ／ＯＦＦ作動することで、第１スピーカ１１、第１マイク１２、第２スピーカ２１及び第２マイク２２をＯＮ／ＯＦＦ作動するようにしたが、切替ＳＷをＯＮ作動したまま、第１スピーカ１１及び第２スピーカ２１の出力レベルを調整、第１マイク１２及び第２マイク２２の収音レベルを調整するようにしても、同様の効果が得られることは言うまでもない。
【０１０２】
つまり、電話本体１０、分離部材２０並びに無線通信網２側の相手先間の三者間通話中に、電話本体１０に対して分離部材２０を合体接続した場合、電話本体１０側の第１マイク１２及び分離部材２０側の第２スピーカ２１をＯＮ作動したまま、第１マイク１２の収音レベル及び第２スピーカ２１の出力レベルを低下させて、第１マイク１２及び第２スピーカ２１間のハウリングを抑制するようにしても、同様の効果が得られることは言うまでもない。
【０１０３】
また、上記実施例では、合体判定部３６にて、ＢＴ通信の受信レベルに基づき、電話本体１０及び分離部材２０間が合体接続したか否かを判定するようにしたが、電話本体１０側の第１マイク１２及び分離部材２０側の第２スピーカ２１間でハウリングが発生する程度に、電話本体１０及び分離部材２０間の距離が近接したか否かを判定するようにしても良く、この場合、合体判定部３６の基準閾値を設定変更することで実現可能であることは言うまでもない。
【０１０４】
また、上記実施例では、電話本体１０及び分離部材２０間をＢＴ通信で実現するようにしたが、電話本体１０及び分離部材２０間を直接無線通信する方式であれば、赤外線通信等の各種方式を採用したとしても、同様の効果が得られることは言うまでもない。
【０１０５】
また、上記実施例では、三者間通話中に、電話端末２０に対して分離部材２０を合体接続した場合、第１マイク１２及び第２スピーカ２１両方をＯＦＦ作動するようにしたが、
第１マイク１２及び第２スピーカ２１の内、少なくとも、どちらか一方の部位をＯＦＦ作動するようにしても、第１マイク１２及び第２スピーカ２１間のハウリングを抑制することができるため、同様の効果が得られることは言うまでもない。
【０１０６】
以上、上記実施例について説明したが、本実施例によって本願の技術的思想の範囲が限定されるものではなく、特許請求の範囲に記載した技術的思想の範囲を逸脱しない限り、各種様々な実施例が実施可能であることは言うまでもない。また、本実施例に記載した効果は、これに限定されるものではない。
【０１０７】
また、本実施例で説明した各種処理の内、自動的に行われるものとして説明した処理の全部又は一部を手動で行うことも可能であることは勿論のこと、その逆に、手動で行われるものとして説明した処理の全部又は一部を自動で行うことも可能であることは言うまでもない。また、本実施例で説明した処理手順、制御手順、具体的名称、各種データやパラメータを含む情報についても、特記した場合を除き、適宜変更可能であることは言うまでもない。
【０１０８】
また、図示した各装置の各構成要素は機能概念的に記載したものであって、必ずしも物理的に図示のように構成されるものではなく、その各装置の具体的な態様は図示のものに限縮されるものでは到底ないことは言うまでもない。
【０１０９】
さらに、各装置で行われる各種処理機能は、ＣＰＵ（Ｃｅｎｔｒａｌ  Ｐｒｏｃｅｓｓｉｎｇ  Ｕｎｉｔ）、（又はＭＰＵ（Ｍｉｃｒｏ  Ｐｒｏｃｅｓｓｉｎｇ  Ｕｎｉｔ）、ＭＣＵ（Ｍｉｃｒｏ  Ｃｏｎｔｒｏｌｌｅｒ  Ｕｎｉｔ）等のマイクロ・コンピュータ）上、又は同ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【０１１０】
以上の各実施例を含む実施形態に関し、さらに以下の付記を開示する。
【０１１１】
（付記１）無線通信網経由で通話を可能とする端末本体と、
この端末本体に対して分離可能とし、前記端末本体と直接無線通信で通話を可能とする所定の分離部材と、
前記端末本体から前記分離部材を分離した場合、前記端末本体、前記分離部材並びに前記無線通信網間の三者間通話を可能にする三者間通話部と、
前記三者間通話中に前記端末本体に対して前記分離部材が近接した場合、前記端末本体及び前記分離部材間のハウリングを制御する制御部と
を有することを特徴とする通話端末装置。
【０１１２】
（付記２）前記制御部は、
前記端末本体側の第１送話部及び第１受話部と前記分離部材側の第２送話部及び第２受話部との間のハウリングを制御することを特徴とする付記１記載の通話端末装置。
【０１１３】
（付記３）前記端末本体の下部に、前記分離部材の上部を分離可能に合体接続し、
前記端末本体の上部に前記第１受話部及び前記端末本体の下部に前記第１送話部を配置すると共に、前記分離部材の上部に前記第２受話部及び前記分離部材の下部に前記第２送話部を配置し、
前記制御部は、
前記三者間通話中に前記端末本体に対して前記分離部材が近接した場合、前記第１受話部及び前記第２送話部をオン作動し、前記第１送話部及び前記第２受話部をオフ作動することで、前記端末本体及び前記分離部材間のハウリングを制御することを特徴とする付記２記載の通話端末装置。
【０１１４】
（付記４）前記端末本体の下部に、前記分離部材の上部を分離可能に合体接続し、
前記端末本体の上部に前記第１受話部及び前記端末本体の下部に前記第１送話部を配置すると共に、前記分離部材の上部に前記第２受話部及び前記分離部材の下部に前記第２送話部を配置し、
前記制御部は、
前記三者間通話中に前記端末本体に対して前記分離部材が近接した場合、前記第１受話部及び前記第２送話部をオン作動し、前記第１送話部の収音感度及び前記第２受話部の出力音量を調整することで、前記端末本体及び前記分離部材間のハウリングを制御することを特徴とする付記２記載の通話端末装置。
【０１１５】
（付記５）前記端末本体は、
前記第２送話部からの通話音声を前記第１送話部から前記無線通信網への送話音声に合成すると共に、前記無線通信網からの受話音声を前記第１受話部及び前記第２受話部に分配する分配合成部を有することを特徴とする付記３又は４記載の通話端末装置。
【０１１６】
（付記６）前記端末本体は、
前記無線通信網経由で無線通信を確立する無線通信部と、
前記分離部材と直接無線通信を確立する第１直接無線通信部と
を有し、
前記分離部材は、
前記端末本体と前記直接無線通信を確立する第２直接無線通信部を有し、
前記三者間通話部は、
前記端末本体側の前記無線通信部を使用して前記無線通信網との無線通信を確立すると共に、前記端末本体側の前記第１直接無線通信部及び前記分離部材側の前記第２直接無線通信部を使用して前記無線通信網との無線通信を確立することで、前記端末本体、前記分離部材並びに前記無線通信網間の三者間通話を確立することを特徴とする付記１〜５の何れか一に記載の通話端末装置。
【０１１７】
（付記７）前記第１直接無線通信部は、
前記第２直接無線通信部との直接無線通信の受信レベルが所定レベルに到達した場合、前記端末本体及び前記第２通信端末間の距離が近接したと判断すると共に、前記第２直接無線通信部との直接無線通信の受信レベルが前記所定レベル未満の場合、前記第１通信端末及び前記第２通信端末間の分離と判断する端末状態判定部を有することを特徴とする付記１〜６の何れか一に記載の通話端末装置。
【０１１８】
（付記８）前記直接無線通信は、
ブルートゥース方式の無線通信であることを特徴とする付記１〜７の何れか一に記載の通話端末装置。
【０１１９】
(付記９）前記端末本体に対して前記分離部材が近接した場合とは、
前記端末本体に対して前記分離部材が合体接続した場合に相当することを特徴とする付記１〜８の何れか一に記載の通話端末装置。
【０１２０】
（付記１０）無線通信網経由で通話を可能とする端末本体と、この端末本体に対して分離可能とし、前記端末本体と直接無線通信で通話を可能とする所定の分離部材とを有する通話端末装置の三者間通話方法であって、
前記端末本体から前記分離部材を分離した場合、前記端末本体、前記分離部材並びに前記無線通信網間の三者間通話を可能にする三者間通話ステップと、
前記三者間通話中に前記端末本体に対して前記分離部材が近接した場合、前記端末本体及び前記分離部材間のハウリングを制御するハウリング制御ステップと
を含むことを特徴とする三者間通話方法。
【０１２１】
（付記１１）無線通信網経由で通話を可能とする端末本体と、この端末本体に対して分離可能とし、前記端末本体と直接無線通信で通話を可能とする所定の分離部材とを有する通話端末装置の三者間通話プログラムであって、
前記端末本体から前記分離部材を分離した場合、前記端末本体、前記分離部材並びに前記無線通信網間の三者間通話を可能にする三者間通話手順と、
前記三者間通話中に前記端末本体に対して前記分離部材が近接した場合、前記端末本体及び前記分離部材間のハウリングを制御するハウリング制御手順と
を前記通話端末装置に実行させることを特徴とする三者間通話プログラム。
【符号の説明】
【０１２２】
１  携帯電話機
２  無線通信網
１０  電話本体
１１  第１スピーカ
１２  第１マイク
１３  無線通信部
１４  第１ＢＴ通信部
１５  分配合成部
１６  第１メモリ
１７  第１制御部
２０  分離部材
２１  第２スピーカ
２２  第２マイク
２３  第２ＢＴ通信部
２４  音声切替部
２５  第２メモリ
２６  第２制御部
３１  第１スピーカ制御部
３２  第１マイク制御部
３３  無線制御部
３４  第１ＢＴ通信制御部
３５  ＢＴ受信レベル検出部
３６  合体判定部
３７  呼制御部
３８  第１三者間通話部
３９  分配合成制御部
４１  第２スピーカ制御部
４２  第２マイク制御部
４３  第２ＢＴ通信制御部
４４  第２三者間通話部
４５  音声切替制御部
５１  分配部
５２  合成部
５３Ａ  第１切替ＳＷ
５３Ｂ  第２切替ＳＷ
５３Ｃ  第３切替ＳＷ
５３Ｄ  第４切替ＳＷ
６１Ａ  第５切替ＳＷ
６１Ｂ  第６切替ＳＷ
【図１】
2010268407.tif 000003
【図２】
2010268407.tif 000004
【図３】
2010268407.tif 000005
【図４】
2010268407.tif 000006
【図５】
2010268407.tif 000007
【図６】
2010268407.tif 000008
【図７】
2010268407.tif 000009
【図８】
2010268407.tif 000010
【図９】
2010268407.tif 000011
【図１０】
2010268407.tif 000012
【図１１】
2010268407.tif 000013
【図１２】
2010268407.tif 000014
【図１３】
2010268407.tif 000015
【図１４】
2010268407.tif 000016
【図１５】
2010268407.tif 000017
【図１６】
2010268407.tif 000018